(57)【要約】２つの重なったパネル（３０、４０）部分から形成された多層取っ手（１５０）を有するカートン。
2009528231.tif 000002
【特許請求の範囲】
【請求項１】
カートンを形成する方法であって、
第１の上部パネルと、
第１の側部パネルと、
底部パネルと、
第２の側部パネルと、
第２の上部パネルとを含むカートンブランクを提供するステップと、
前記第１の上部パネルの強化取っ手部分が前記第１の上部パネルの第１の取っ手部分に重なるように、前記第１の上部パネルの強化取っ手部分を折り曲げるステップと、
前記第２の上部パネルが前記第１の上部パネルに重なるように、前記ブランクを折り曲げるステップと、
前記第２の上部パネルを前記第１の上部パネルに接着するステップと、
カートンの端部を少なくとも部分的に閉じるステップと、
を含む、方法。
【請求項２】
前記強化取っ手部分を前記第１の取っ手部分に接着するステップをさらに含む、請求項１に記載の方法。
【請求項３】
前記強化取っ手部分の裏面は、前記第１の取っ手部分の裏面に接着される、請求項２に記載の方法。
【請求項４】
前記第２の上部パネルは、前記第２の取っ手部分を含み、前記第２の上部パネルを前記第１の上部パネルに接着するステップは、前記第２の取っ手部分を前記第１の取っ手部分に接着するステップを含む、請求項１乃至３に記載の方法。
【請求項５】
前記強化取っ手部分、前記第１の取っ手部分、および前記第２の取っ手部分は、互いに重なり合う、請求項１乃至４に記載の方法。
【請求項６】
前記第２の上部パネルの裏面は、前記第１の上部パネルの上部表面に接着される、請求項１乃至５に記載の方法。
【請求項７】
前記ブランクは、前記第１の上部パネル内に取っ手要素をさらに含み、前記第１の取っ手部分は、前記強化取っ手部分と前記取っ手要素との間に位置する、請求項１乃至６に記載の方法。
【請求項８】
前記ブランクは、前記第２の上部パネル内に一対の取っ手要素をさらに含み、前記第２の取っ手部分は、前記一対の取っ手要素の間に位置する、請求項７に記載の方法。
【請求項９】
前記ブランクは、前記側部パネルのうちの少なくとも１つに少なくとも１つの取り出し口部分を画定する、少なくとも１つの取り出し口パターンをさらに含む、請求項１乃至８に記載の方法。
【請求項１０】
前記カートンの端部が少なくとも部分的に閉じる前に、前記ブランクを略管状構造に形成するステップをさらに含む、請求項１乃至９に記載の方法。
【請求項１１】
前記略管状構造内に複数の容器を装填するステップをさらに含む、請求項１０に記載の方法。
【請求項１２】
前記ブランクは、
前記底部パネルに折り曲げ可能に接続された一対の底端部フラップと、
それぞれの側部パネルに接続された複数の側端部フラップと、をさらに含む請求項１乃至１１に記載の方法。
【請求項１３】
前記ブランクは、
前記第１の上部パネルに折り曲げ可能に接続された一対の第１の上端部パネルと、
前記第２の上部パネルに折り曲げ可能に接続された一対の第２の状端部パネルと、を含む、請求項１乃至１２に記載の方法。
【請求項１４】
カートンであって、
第２の上部パネルに重ねて接着された第１の上部パネルを含む上部パネルと、
第１の側部パネルと、
底部パネルと、
第２の側部パネルと、
第１の端部パネルと、
第２の端部パネルと、を含み、
多層取っ手は前記上部パネル内に形成され、前記多層取っ手は、前記第１および第２の上部パネルから形成された少なくとも３つの重なった層を含む、カートン。
【請求項１５】
前記多層取っ手のうちの２つの層は、前記第１の上部パネルの第１の取っ手部分に重ねて接着された前記第１の上部パネルの強化取っ手部分を含む、請求項１４に記載のカートン。
【請求項１６】
前記第１の取っ手部分および前記強化取っ手部分は、細長い、請求項１５に記載のカートン。
【請求項１７】
前記強化取っ手部分の裏面は、前記第１の取っ手部分の裏面に接着される、請求項１６に記載のカートン。
【請求項１８】
前記第２の上部パネルは、前記第１の取っ手部分に接着された第２の取っ手部分を含み、前記第２の取っ手部分は、前記多層取っ手の第３の層を形成する、請求項１５に記載のカートン。
【請求項１９】
前記強化取っ手部分、前記第１の取っ手部分、および前記第２の取っ手部分は、互いに重なり合う、請求項１８に記載のカートン。
【請求項２０】
前記第２の上部パネルの裏面は、前記第１の上部パネルの上部表面に接着される、請求項１４乃至１９に記載のカートン。
【請求項２１】
前記第１の上部パネル内に取っ手要素をさらに含み、前記第１の取っ手部分は、前記強化取っ手部分および前記取っ手要素に隣接して位置する、請求項１５に記載のカートン。
【請求項２２】
前記第２の上部パネル内に一対の取っ手要素をさらに含み、前記第２の取っ手部分は、前記一対の取っ手要素の間に位置する、請求項２１に記載のカートン。
【請求項２３】
前記取っ手要素から外側に延在する複数の分断線を前記第１の上部パネル内にさらに含む、請求項２１に記載のカートン。
【請求項２４】
前記側部パネルのうちの少なくとも１つに少なくとも１つの取り出し口部分を画定する、少なくとも１つの取り出し口パターンをさらに含む、請求項１４乃至２３に記載のカートン。
【請求項２５】
前記カートン内に複数の容器をさらに含む、請求項１４乃至２４に記載のカートン。
【請求項２６】
前記第１の端部パネルは、
前記底部パネルに接続された第１の底部端部パネルと、
少なくとも１つの第１の側端部フラップと、
第１の上端部フラップと、を含む請求項１４乃至２５に記載のカートン。
【請求項２７】
カートンおよびその中に収容される複数の容器であって、前記カートンは、
前記カートンの少なくとも６つの側面を画定する複数のパネルを含み、
前記パネルのうちの少なくとも１つは、第１の取っ手パネルを含み、第２の取っ手パネルは、前記第１の取っ手パネルに重ねて接着され、
前記第１の取っ手パネルは、第１の取っ手部分と、強化取っ手部分とを含み、
前記強化取っ手部分は、前記第１の取っ手部分に重ねて接着され、
前記第２の取っ手パネルは、前記第１の取っ手部分および前記強化取っ手部分のうちの少なくとも１つに重ねて接着された、第２の取っ手部分を含み、
前記重ねた第１の取っ手部分、前記強化取っ手部分、および前記第２の取っ手部分は、少なくとも３層の多層取っ手を画定する、カートン。
【請求項２８】
前記強化取っ手部分の裏面は、前記第１の取っ手部分の裏面に接着される、請求項２７に記載のカートン。
【請求項２９】
前記第１の上部パネル内に取っ手要素をさらに含み、前記第１の取っ手部分は、前記強化取っ手部分に取り畳み可能に接続され、前記取っ手要素に隣接する、請求項２７または２８に記載のカートン。
【請求項３０】
前記第２の上部パネル内に一対の取っ手要素をさらに含み、前記第２の取っ手部分は、前記一対の取っ手要素の間に位置する、請求項２７乃至２９に記載のカートン。
【請求項３１】
前記側部パネルの内の少なくとも１つに取り出し口部分を画定する、少なくとも１つの取り出し口パターンをさらに含む、請求項２９に記載のカートン。
【請求項３２】
カートンブランクであって、
第１の取っ手部分と、前記第１の取っ手部分に隣接して位置する強化取っ手部分とを含み、前記強化取っ手部分は、前記第１の取っ手部分に折り曲げ可能に接続される、第１の上部パネルと、
前記第１の上部パネルに折り曲げ可能に接続された第１の側部パネルと、
底部パネルと、
前記第２の上部パネルに折り曲げ可能に接続された第２の側部パネルと、
第２の取っ手部分を含む第２の上部パネルと、を含み、
前記第２の取っ手部分は、前記ブランクがカートンに組み立てられたときに、前記第１の取っ手部分に重なるように、前記第２の上部パネル内に配置される、カートンブランク。
【請求項３３】
前記ブランクは、前記第１の上部パネル内に取っ手要素をさらに含み、前記第１の取っ手部分は、前記強化取っ手部分と前記取っ手要素との間に位置する、請求項３２に記載のカートンブランク。
【請求項３４】
前記ブランクは、前記第２の上部パネル内に一対の取っ手要素をさらに含み、前記第２の取っ手部分は、前記一対の取っ手要素の間に位置する、請求項３２または３３に記載のカートンブランク。
【請求項３５】
前記ブランクは、前記側部パネルのうちの少なくとも１つに少なくとも１つの取り出し口部分を画定する、少なくとも１つの取り出し口パターンをさらに含む、請求項３２乃至３４に記載のカートンブランク。
【発明の詳細な説明】
【背景技術】
【０００１】
取り出し口および持ち運び用の取っ手を有するカートンは既知である。しかし、従来のカートンは、カートンを確実に運搬するための十分な強度を持たない場合がある。例えば、飲料用容器を収容するカートンのような比較的重いものを運ぶカートンは、取っ手の強度または信頼性が不十分な場合がある。カートンの取っ手を強化することができるが、強化するにはしばしば更なる製造コストが必要である。
【発明の開示】
【０００２】
本発明の例示的な第１の実施形態によれば、カートンは、底部パネルと、第１および第２の重ね合わせ上部パネルから形成された上部パネルと、側部パネルと、端部パネルとを含む。
上部パネルは、重ね合わせ上部パネから形成された少なくとも３層から成る多層取っ手を含む。一実施形態では、取っ手層のうちの１つは、第１および第２の重ね合わせ上部パネルのうちの１つから形成された強化取っ手層である。
【０００３】
本発明の第１の実施形態の一側面によれば、多層取っ手によって、例えば液体が満たされた飲料容器のような比較的重い物を、カートンにおいて確実に運搬することができる。取っ手の層は、第１および第２の重ね合わせ上部パネルから形成することができ、したがって、いかなる追加の板紙要素も必要としない。
【０００４】
第１の実施形態の別の側面によれば、カートンの内容物への入口を提供するように、１つ以上の取り出し口部分をカートン内に形成することができる。取り出し口部分は、カートンの一方または両方を開いた後に、取っ手によってカートンを担持することができるように、多層取っ手の両側に形成することができる。
【０００５】
当業者は、以下に列記される添付図面を参照して以下の実施形態の詳細な説明を読み取ることによって、上述の利点、他の利点、および種々の更なる実施形態の利益を理解されよう。
【発明を実施するための最良の形態】
【０００６】
本発明は、全体として、カートン、あるいは、強化多層持ち運び用取っ手を有するカートンに関する。本カートンの実施形態の中に収容される物には、例えば花弁状の瓶容器、飲料缶、ガラスまたはプラスチック瓶のような容器、または、例えば食品を梱包するために使用されるものなどのような他の容器が挙げられる。本発明の説明の目的で、また本発明の範囲を制限することが目的とせず、以下の詳細説明で、カートン内に配置される瓶飲料容器を説明する。本明細書では、「端部」、「側部」、「底部」、および「上部」という用語は、完全に組み立てられて直立したカートンに対して特定される方向を示すものであり、本発明の範囲を限定することを意図するものではない。
【０００７】
図１は、本発明の第１の実施形態による、カートン１９０（図３に図示）の形成に使用されるカートンブランク８の、第１の表印刷側、すなわち外側の平面図である。ブランク８の第１の側部は、組み立てられたカートン１９０の外側に配置される。図１に示されるように、カートンブランク８は、長手方向中心線ＣＬおよび横断方向中心線ＣＴに関して対称、または部分的に対称となる場合がある。したがって、図面内の特定の要素は、全体的または部分的な長手方向および横断方向の対称性を反映するように、類似または同一の参照番号を有する。
【０００８】
ブランク８は、横断方向の折り目線２１において一対の側部パネル２０に折り曲げ可能に接続された底部パネル１０と、横断方向の折り目線３１において第１の側部パネル２０に折り曲げ可能に接続された第１の上部または取っ手パネル３０と、横断方向の折り目線４１において第２の側部パネル２０に折り曲げ可能に接続された第２の上部または取っ手パネル４０とを含む。底端部フラップ１２は、長手方向の折り目線１４に沿って底部パネル１０の対向端に折り曲げ可能に接続される。下側端部フラップ２２は、長手方向の折り目線２３において側部パネル２０の対向端に折り曲げ可能に接続される。上側端部フラップ２４は、下側端部フラップ２２に隣接して配置され、また、斜めの折り目線２６において側部パネル２０の対向端に折り曲げ可能に接続される。第１の上端部フラップ３２は、長手方向の折り目線３４に沿って第１の上部パネル３０の対向端に折り曲げ可能に接続される。第２の上端部フラップ４２は、長手方向の折り目線４４に沿って第２の上部パネル４０の対向端に折り曲げ可能に接続される。
【０００９】
取り出し口パターン５０は、ブランク８のそれぞれの側部において形成される。それぞれの取り出し口パターン５０は、側部パネル２０内に延在するミシン目５２と、ミシン目５２の端部から延在して上部パネル３０および４０のうちの１つに収束する斜めのミシン目５４とを含む。それぞれの取り出し口パターン５０は、パネル２０および３０内、およびパネル２０および４０内に、取り出し口部分５５を画定する。斜めのミシン目８２は、第１の上部パネル３０内に延在し、カートン１９０を組み立てたとき（図３に図示）に、第２の上部パネル４０において斜めのミシン目５４に重なるか、またはこれに合致するように配置される。
ミシン目８２は、ブランク８の対向端の取り出し口部分５５を取り除いてカートン１９０の片側を開くときに取り除かれる、取り出し口部分８８を画定する。斜めのミシン目１０６は、第２の上部パネル４０内に延在し、カートン１９０を組み立てたときに、第１の上部パネル３０において斜めのミシン目５４に合致するように配置される。ミシン目１０６は、他の取り出し口部分５５が取り除かれたときに取り除かれる、取り出し口部分１０８を画定する。
【００１０】
本発明の例示的な一側面によれば、細長い強化取っ手部分７０は、第１の上部パネル３０内に画定される。強化取っ手部分７０は、組み立てられたカートン１９０（図３）内に多層取っ手１５０のうちの１つの層を含む。強化取っ手部分７０は、破断可能な分断線７４および横断方向の折り線７２によって画定される。強化取っ手部分７０は、横断方向の折り線７２に沿って、第１の上部パネル３０の残部に対して折り曲げ可能である。破断可能な分断線７４は、例えば、取っ手部分７０をパネル３０の残部に対して折り畳むことができる、ミシン目または切り取り線とすることができる。第１の上部パネル３０の第１の取っ手部分７６は、第１の上部パネル３０内の強化取っ手部分７０に隣接して画定される。第１の取っ手部分７６は、取っ手１５０の第２の層を形成し、一般的に、この部分は破断可能な取っ手要素８６と、横断方向の折り線７２と、斜めの分断線８０との間に画定される。斜めの分断線８０は、例えば、ミシン目または刻み線とすることができる。開口部６２は、長手方向の折り線３４に沿って第１の上端部パネル３２内に形成され、長手方向の折り線３４での上端部パネル３２の折り曲げを支援することができる。
【００１１】
第２の取っ手部分１００は、概して、破断可能な取っ手要素１１６および１２６と、斜めの分断線１０２および１０４との間の第２の上部パネル４０内に画定される。斜めの分断線１０２および１０４は、例えば、刻み線またはミシン目とすることができる。第２の取っ手部分１００は、組み立てられたカートン１９０において、第１の取っ手部分７６および強化取っ手部分１００に重なるように位置決めされ、また取っ手１５０の第３の層を形成する。
【００１２】
以下、例示的なカートン１９０の組み立て方法を、図２Ａ乃至２Ｄを参照して説明する。図２Ａ乃至２Ｄでは、理解し易くするために、ブランク８の裏面と、図１に示されるブランクの表面、すなわち印刷面（点刻されていない）とを区別するために、ブランク８を薄い点刻によって示している。
【００１３】
図２Ａは、ブランク８の最初の折り曲げステップを示す図であり、図中ブランク８は、印刷面、すなわち外側を下（裏）にして示している。図２Ａでは、強化取っ手部分７０は、破断可能な分断線７４において第１の上部パネル３０の残部から部分的に離され、また、矢印Ａの方向に折り曲げられる。強化取っ手部分７０は、横断方向の折り線７２に沿って平坦に折り畳まれ、強化取っ手部分７０の裏面を第１の取っ手部分７６の裏面と接触させる。取っ手部分７０および７６は、接着剤７９によって互いに接着される。
【００１４】
図２Ｂを参照すると、ブランク８は、矢印Ｂの方向に横断方向の折り線２１に沿って平坦に折り畳まれる。図２Ｂでは、ブランク８は、第１の上部パネルが、印刷側、すなわち外側を上（表）にし、パネル１０および４０が印刷側を下（裏）にするように折り畳まれる。強化取っ手部分７０は、第１の取っ手部分７６と印刷側を下（裏）にした側部パネル２０との間に挟まれているので、図２Ｂでは見えなくなっている。接着剤１０１は、第２の取っ手部分１００の裏面上に位置する。
【００１５】
図２Ｃを参照すると、ブランク８は、第２の上部パネル４０が第１の上部パネル３０に重なって接触するように、矢印Ｃの方向に横断方向の折り線４１に沿って折り畳まれる。第２の取っ手部分１００の裏面は、接着剤１０１（図２Ｂに図示）によって、第１の取っ手部分７６の上部表面に接着される。第２の上部パネル４０の裏面の残部の全てまたは一部を、第１の上部パネル３０の外側印刷面の選択した部分に接着することもできる。第２の上端部フラップ４２の裏面は、第１の上端部フラップ３２の上部表面に接着することができる。
【００１６】
図２Ｃに示される構成では、第２の取っ手部分１００は、第１の取っ手部分７６を覆い、次いで強化取っ手部分７０（図１に図示）を覆って、３層の取っ手１５０を形成する。第２の上部パネル４０内の取り出し口部分１０８を画定する分断線１０６は、第１の上部パネル３０（図１に図示）内の斜めの分断線５４に重なる。同様に、第２の上部パネル４０内の斜めの分断線５４は、斜めの分断線８２に重なり、第１の上部パネル３０内において、取り出し口部分８８を画定する。第２の上部パネル４０内の取っ手要素１２６は、上部パネル３０内の取っ手要素８６に重なり、また、これに接着することも可能であり、これの要素を単一の動作で利用できるようにしている。
【００１７】
図２Ｄは、図２Ｃに示されるカートンブランクを部分的に折り曲げて接着して、略管状のスリーブ構造を形成するように開いた図である。管状スリーブの端部は、例えば、端部フラップ１２、２２、２４、３２、および４２を折り曲げて接着するか、または、他の手段で互いに接着することによって閉じることができる。例えば、瓶容器Ｃのような物は、端部フラップ１２、２２、２４、３２、および４２によってカートンの一端または両端が閉じられる前に、いつでも従来の方法で管状スリーブ内に装填することができる。
【００１８】
図３乃至５は、組み立てられたカートン１９０を示す図である。組み立てられたカートン１９０では、接着された端部フラップ１２、２２、２４、３２、および４２は、カートン１９０のそれぞれの端部において端部パネル１３０を形成する。端部パネル１３０は、カートン端部を完全にまたは部分的に囲む場合がある。重ねて接着された第１および第２の上部パネル３０および４０は、カートン１９０の上部パネル１４０を画定する。底部パネル１０、側部パネル２０、端部パネル１３０、および上部パネル１４０は、６面の略直方体形状である、略密閉カートンを画定することができる。図３に示されるように、端部パネル１３０は、完全に平面ではなく、上部パネル１４０に向かって内方へ傾斜している。保持ストラップ、ガセット、平面のパネルなどのような他の端部パネル形状も用いることができる。
【００１９】
本発明の一側面によれば、重ね合わせた第１および第２の取っ手部分１００および７６、および強化取っ手部分７０（図１に図示）は、上部パネル１４０内に３層の取っ手１５０を形成する。３層の取っ手１５０は、細長い形状であり、概ね上部パネル１４０内の取っ手要素１１６と１２６との間に配置される。
【００２０】
図６は、運搬形態にあるカートン１９０を示す図である。カートン１９０は、取っ手要素１１６において、および／または重ね合わせた取っ手要素１２６および８６（取っ手要素８６は図１に図示）において、上部パネル１４０を破ることによって、運搬形態とすることができる。これで、カートン１９０およびその内容物を、３層の取っ手によって持ち上げて担持することができる。カートン１９０を取っ手１５０によって持ち上げるときには、第１の上部パネル３０（図１）を、斜めの分断線８０に沿って完全にまたは部分的に裂き、第２の上部パネル４０を斜めの分断線１０２および１０４に沿って完全にまたは部分的に裂くことができる。このように裂くことによって、カートン１９０の運搬中に、取っ手１５０を上部パネル１４０の残部の表面よりもわずかに上に持ち上げることができる。斜めの分断線８０、１０２、および１０４は、運搬中に上部パネル１４０を裂くための明確な経路を提供し、例えば、上部パネル１４０が他の部分に沿って不用意に裂かれないようにすることができる。
【００２１】
図７を参照すると、カートン１９０の片側は、重ね合わせ取っ手要素１２６および８６（図１）においてカートンを握持し、カートン１９０をミシン目５２および５４に沿って下方に裂いて取り出し口部分５５を取り除き、斜めのミシン目８２に沿って裂いて第１の上部パネル３０（図１に図示）内の取り出し口部分８８を取り除くことによって開くことができる。
重ね合わせ取り出し口部分５５および８８は、１回の裂く動作でカートン１９０の片側を開くように、互いに接着される場合がある。取り出し口部分５５および８８の除去によって、取り出し口開口部５７が形成され、それを通じてカートン１９０内に収容された容器Ｃをカートン１９０から取り出すことができる。必要に応じて、ミシン目５２、５４、１０６に沿って裂いて他の取り出し口部分５５および１０８を取り除くことによって、カートン１９０の反対側を開くことができる。図８は、取り出し口５７を開いたカートン１９０の正面図である。
【００２２】
上述の実施形態によれば、多層カートン取っ手１５０は、３つの層を含み、高強度である。したがって、取っ手１５０を使用することで、比較的重いカートン重量を運搬することができる。取っ手１５０は、いかなる追加の板紙要素も必要としないように、重ね合わせ上部パネル３０および４０から形成された層によって形成することができる。
【００２３】
さらに、上述の実施形態によれば、取り出し口部分は、多層取っ手１５０の一端または両端に形成して、カートン１９０のそれぞれの側部内に収容された容器Ｃへの入口を提供することができる。カートン１９０の両側を開いたときには、カートンを取っ手１５０によって担持することができる。
【００２４】
図示の実施形態では、例示的なカートン１９０は、飲料用瓶を収容するように寸法設計されている。しかしながら、他のタイプの容器も、本発明によるカートン内に収容することができる。ブランク８の寸法は、例えば種々の容器形状を収容するように変更することもできる。
【００２５】
図１に示される分断線５２、５４、７４、８０、８２、１０２、１０４、および１０６は、概ねブランク８内の破断可能な（例、引き裂き可能な）分断線を示す。これらの破断可能な線のそれぞれは、例えば切り取り線または刻み線などとして具体的に記載されているが、その線に沿ってブランク８を裂くことができるブランク８内のいかなる分断線または脆弱化線を使用することもできる。例えば、あらゆる形状またはタイプで、線５２、５４、７４、８０、８２、１０２、１０４、１０６を形成することができる。
【００２６】
上述したカートン１９０は、例えば３×４の配列で１２本の瓶容器Ｃを収容することができる。しかしながら、ブランク８の形状および／または寸法を調整することによって、異なる数の容器Ｃを収容することができる。例えば、図１を参照すると、より多くの、またはより少ない縦列数の容器または他の物を収容するように、横断方向に沿ったブランク８の幅を増減させることができる。別様には、より多くの、またはより少ない横列数の容器または他の物を収容するように、ブランク８の長手方向の寸法を増減させることができる。
【００２７】
例示的な実施形態によれば、カートンは、例えば板紙で構成することができる。ブランク、したがってカートンは、厚紙のような他の材料、またはカートンが少なくとも概ね上述したように機能できる好適な特性を有する他の材料で構成することもできる。ブランクは、選択したパネルまたはパネル部分を１つ以上のブランク状の材料に積層するか、またはこれでコーティングすることもできる。ブランクの１つ以上のパネルは、ワニス、クレー、または他の材料を単独で、または組み合わせてコーティングすることができる。コーティングの上には、次いで、製品、広告、栄養成分、および他の情報または画像を印刷することができる。
ブランクは、ブランク上に印刷されたあらゆる情報を保護するように、コーティングすることもできる。ブランクは、ブランクの一端または両端を例えば防湿層でコーティングすることができる。
【００２８】
本発明の例示的な実施形態によれば、折り線は、必ずしも直線とする必要はないが、それらに沿った折り曲げを容易にする、ブランク内のあらゆる略直線形状の分断線または脆弱化線とすることができる。より具体的には、本発明の範囲を狭めるものではないが、折り線の例には、刻み線、折り返し線、脆弱化線に沿って材料に部分的に延在する、および／または完全に貫通する切り取り線または一連の切り取り線、およびこれらの要素の種々の組合せが挙げられる。
【００２９】
本願明細書では、「パネル」または「フラップ」は、平坦または平面とする必要はない。「パネル」または「フラップ」は、例えば、複数の相互接続した略平坦な、または平面の部分を含むことができる。例えば、図３に示される端部パネル１３０およびカートン１９０は、非平面形状を有する場合がある複数の重ね合わせフラップから成る。
【００３０】
本願明細書に示される記述のために、「分断線」または「脆弱化線（ｌｉｎｅ  ｏｆ  ｗｅａｋｎｅｓｓ）」という用語を用いて、例えば、カートン内に形成された、切り取り線、刻み線、折り目線、ミシン目、折り線（またはそれらの重ね合わせおよび連続させたもの）を概ね示すことができる。「破断可能な」分断線とは、カートンの通常の使用中に、破られることを意図した線のことである。破断可能な分断線の例には、ミシン目および切り取り線が挙げられる。
【００３１】
本願明細書で使用される「線」という用語は、直線だけでなく、湾曲線、曲線、または角度的に変位した線のような他のタイプの線も含む。
【００３２】
上述の実施形態は、糊または「接着層」によって接着された１つ以上のパネルを有するものと説明することが可能である。「糊」という用語は、カートンパネルを適所に固定するために一般的に使用されるあらゆる種類の接着剤の包含を意図するものである。
【００３３】
本記述は、本発明を本願明細書において開示される形態に限定することを意図するものではない。また、添付の特許請求の範囲は、詳細な説明の中で明示的に定義されていない、別の実施形態を含むと解釈されることを意図するものである。
【００３４】
慣行に従い、下述の図面の種々の特徴は、必ずしも一定の比率で描画されているわけではない。図面内の種々の特徴の寸法および要素は、本発明の実施形態をより明確に示すように、拡大または縮小される場合がある。
【図面の簡単な説明】
【００３５】
【図１】本発明の第１の実施形態による、多層取っ手を有するカートンの形成に使用されるブランクの外側表面、すなわち印刷面側の平面図である。
【図２Ａ】カートンの最初の組み立てステップを示す、カートンブランクの部分図である。
【図２Ｂ】第１の実施形態による、ブランクの一組み立てステップを示す図である。
【図２Ｃ】第１の実施形態による、ブランクの一組み立てステップを示す図である。
【図２Ｄ】第１の実施形態による、ブランクの一組み立てステップを示す図である。
【図３】本発明の第１の実施態様による、組み立てられたカートンを示す図である。
【図４】カートンの平面図である。
【図５】カートンの正面図である。
【図６】運搬構成にあるカートンを示す図である。
【図７】取り出し口を開き、運搬形態にあるカートンを示す図である。
【図８】取り出し口を開き、運搬形態にあるカートンの正面図である。
【図１】
2009528231.tif 000003
【図２Ａ】
2009528231.tif 000004
【図２Ｂ】
2009528231.tif 000005
【図２Ｃ】
2009528231.tif 000006
【図２Ｄ】
2009528231.tif 000007
【図３】
2009528231.tif 000008
【図４】
2009528231.tif 000009
【図５】
2009528231.tif 000010
【図６】
2009528231.tif 000011
【図７】
2009528231.tif 000012
【図８】
2009528231.tif 000013
【国際調査報告】
2009528231.tif 000014
2009528231.tif 000015
2009528231.tif 000016